(57)【要約】【課題】  送信側のデータ処理装置及び受信側のデータ処理装置の双方にとって最適なデータ転送を実現できるようにする。【解決手段】  送信側のデータ処理装置１１０において、ディスク１０１に記録されている動画像データを記録再生部１１１で読み出し、読み出した動画像データのパケット列に対する処理能力を受信側のデータ処理装置１２０に問い合わせ、当該問い合わせの結果得られた受信側のデータ処理装置１２０の処理能力値に応じて、読み出した動画像データのパケット列の転送レートを変更する。そして、変更した転送レートにおける動画像データのパケット列を受信側のデータ処理装置１２０に送信するようにする。【選択図】  図１
2006128820.tif 000002
【特許請求の範囲】
【請求項１】
記録媒体に記録されている少なくとも動画像データ又は音声データの記録データを読み出す読み出し手段と、
前記読み出し手段で読み出した記録データのパケット列に対する処理能力を受信装置に問い合わせる問い合わせ手段と、
前記問い合わせ手段による問い合わせの結果得られた前記受信装置の処理能力値に応じて、前記記録データのパケット列の転送レートを変更する転送レート変更手段と、
前記転送レート変更手段により変更された転送レートで前記記録データのパケット列を前記受信装置に送信する送信手段と
を有することを特徴とするデータ処理装置。
【請求項２】
前記記録媒体に記録されている前記記録データのパケットが、ＭＰＥＧ２トランスポートストリームパケットであることを特徴とする請求項１に記載のデータ処理装置。
【請求項３】
前記記録データを暗号化する暗号化手段を更に有し、
前記問い合わせ手段は、前記受信装置に対して、前記暗号化手段により暗号化した記録データの復号化の際の処理能力を問い合わせることを特徴とする請求項１に記載のデータ処理装置。
【請求項４】
前記問い合わせ手段は、前記受信装置に対して、前記記録データを記録媒体に記録する記録速度を問い合わせることを特徴とする請求項１に記載のデータ処理装置。
【請求項５】
前記問い合わせ手段は、前記受信装置に対して、前記記録データのパケットを一時的に記憶する記憶領域への書き込み速度、或いは、前記記憶領域からの前記記録データのパケットにおける読み出し速度を問い合わせることを特徴とする請求項１に記載のデータ処理装置。
【請求項６】
前記問い合わせ手段は、前記処理能力における最大値を前記処理能力値として前記受信装置に問い合わせることを特徴とする請求項１〜５のいずれか１項に記載のデータ処理装置。
【請求項７】
前記転送レート変更手段は、前記受信装置における前記処理能力値が前記記録データの予め設定されているパケット列の転送レートよりも高い場合には、当該転送レートを前記処理能力値に応じて高くすることを特徴とする請求項１〜６のいずれか１項に記載のデータ処理装置。
【請求項８】
前記転送レート変更手段は、前記受信装置における前記処理能力値が前記記録データの予め設定されているパケット列の転送レートよりも低い場合には、当該転送レートを前記処理能力値に応じて低くすることを特徴とする請求項１〜６のいずれか１項に記載のデータ処理装置。
【請求項９】
前記記録データの前記予め設定されているパケット列の転送レートは、前記記録媒体に記録されている当該記録データのフォーマットの種類に応じて設定されることを特徴とする請求項７又は８に記載のデータ処理装置。
【請求項１０】
送信装置の記録媒体に記録されている少なくとも動画像データ又は音声データの記録データのパケット列に対する処理能力値を前記送信装置に送信する送信手段と、
前記処理能力値に応じて転送レートが変更された前記記録データのパケット列を前記送信装置から受信する受信手段と
を有することを特徴とするデータ処理装置。
【請求項１１】
前記記録データのパケット列に対する転送レートを前記送信装置に問い合わせる問い合わせ手段と、
前記前記問い合わせ手段による問い合わせの結果得られた前記転送レートが前記処理能力値と一致しない場合に、前記転送レートを変更するように前記送信装置に対して指示する転送レート変更指示手段とを更に有することを特徴とする請求項１０に記載のデータ処理装置。
【請求項１２】
請求項１〜９のいずれか１項に記載のデータ処理装置と、
請求項１０又は１１に記載のデータ処理装置と
を通信可能に接続したことを特徴とするデータ処理システム。
【請求項１３】
記録媒体に記録されている少なくとも動画像データ又は音声データの記録データを読み出す読み出しステップと、
前記読み出しステップで読み出した記録データのパケット列に対する処理能力を受信装置に問い合わせる問い合わせステップと、
前記問い合わせステップによる問い合わせの結果得られた前記受信装置の処理能力値に応じて、前記記録データのパケット列の転送レートを変更する転送レート変更ステップと、
前記転送レート変更ステップにより変更された転送レートで前記記録データのパケット列を前記受信装置に送信する送信ステップと
を有することを特徴とするデータ処理方法。
【請求項１４】
送信装置の記録媒体に記録されている少なくとも動画像データ又は音声データの記録データのパケット列に対する処理能力値を前記送信装置に送信する送信ステップと、
前記処理能力値に応じて転送レートが変更された前記記録データのパケット列を前記送信装置から受信する受信ステップと
を有することを特徴とするデータ処理方法。
【請求項１５】
記録媒体に記録されている少なくとも動画像データ又は音声データの記録データを読み出す読み出し手順と、
前記読み出し手順で読み出した記録データのパケット列に対する処理能力を受信装置に問い合わせる問い合わせ手順と、
前記問い合わせ手順による問い合わせの結果得られた前記受信装置の処理能力値に応じて、前記記録データのパケット列の転送レートを変更する転送レート変更手順と、
前記転送レート変更手順により変更された転送レートで前記記録データのパケット列を前記受信装置に送信する送信手順と
をコンピュータに実行させることを特徴とするプログラム。
【請求項１６】
送信装置の記録媒体に記録されている少なくとも動画像データ又は音声データの記録データのパケット列に対する処理能力値を前記送信装置に送信する送信手順と、
前記処理能力値に応じて転送レートが変更された前記記録データのパケット列を前記送信装置から受信する受信手順と
をコンピュータに実行させることを特徴とするプログラム。
【請求項１７】
請求項１５又は１６に記載のプログラムをコンピュータに読み取り可能に記憶したことを特徴とするコンピュータ読み取り可能な記憶媒体。
【発明の詳細な説明】
【技術分野】
【０００１】
本発明は、データ処理装置、送信側のデータ処理装置と受信側のデータ処理装置とを通信可能に接続したデータ処理システム、データ処理方法、当該データ処理方法をコンピュータに実行させるためのプログラム及び当該プログラムをコンピュータに読み取り可能に記憶したコンピュータ読み取り可能な記憶媒体に関し、特に、ＭＰＥＧ２規格等に準拠した動画像データ等を送受信するものに用いて好適である。
【背景技術】
【０００２】
従来より、記録媒体に記録されている動画像データの再生を行うとともに、ＩＥＥＥ  Ｓｔｄ  １３９４−１９９５（非特許文献１参照）等に準拠したアイソクロナス転送を用いてダビングを行うデータ処理システムがある。ここで、データ処理システムの一例について説明する。
【０００３】
図４は、データ処理システム４００を示す概略構成図である。本例では、記録媒体がディスクである場合を例にして説明する。
データ処理システム４００は、送信側のデータ処理装置４１０と、受信側のデータ処理装置４２０と、当該装置間を接続する通信ケーブル４３０を有している。また、送信側のデータ処理装置４１０には、送信側のディスク４０１及び表示装置４０２が接続されており、受信側のデータ処理装置４２０には、受信側のディスク４０３及び表示装置４０４が接続されている。
【０００４】
送信側のディスク４０１の動画像データは、送信側のデータ処理装置４１０の記録再生部４１１で読み出された後、表示制御部４１２に送られる。表示制御部４１２では、表示装置４０２に動画を表示するためのデコード処理が施される。さらに、記録再生部４１１で読み出された動画像データは、ＩＥＥＥ  Ｓｔｄ  １３９４−１９９５等に準拠したデジタルインターフェース部４１３に入力される。そして、このデジタルインターフェース部４１３で所定のパケット化が施されて、通信ケーブル４３０を経由して、受信側のデータ処理装置４２０のデジタルインターフェース部４２１に入力される。デジタルインターフェース部４２１もＩＥＥＥ  Ｓｔｄ  １３９４−１９９５（非特許文献１参照）等に準拠する。受信側のデータ処理装置４２０では、送信側のデータ処理装置４１０から送られてきた動画像データを表示制御部４２２でデコード処理を施して表示装置４０４に表示するとともに、送信側のデータ処理装置４１０から送られてきた動画像データを記録再生部４２３によってディスク４０４に記録する。
【０００５】
ここで、ダビングを行う場合には、不正なコピーを防止するためのコピープロテクションを用いて、動画像データに暗号化処理を施すことがある。この場合には、送信側のデータ処理装置４１０の記録再生部４１１において、ディスク４０１から読み出した動画像データをコピーの制限レベルに応じて各々異なるモードで暗号化する。また、コピー制限のない動画像データであれば、当該暗号化処理は行わない。
【０００６】
送信側のデータ処理装置４１０では、コピー制限のある動画像データを暗号化して出力し、その暗号を解く鍵は当該装置による認証処理を通じて正しいと認めた装置に対してのみ送信するようにして、改ざんや盗聴等を防止している。そして、暗号化された動画像データは、デジタルインターフェース部４１３に入力され、通信ケーブル４３０を経由して、受信側のデータ処理装置４２０のデジタルインターフェース部４２１に入力される。受信側のデータ処理装置４２０では、入力された動画像データを前述した鍵を用いて計算を行い、暗号化された動画像データを復号する。そして、受信側のデータ処理装置４２０は、復号した動画像データを表示制御部４２２でデコードして表示装置４０３に表示することや、記録再生部４２３によりディスク４０４に記録することが可能となる。
【０００７】
図５は、ＭＰＥＧ２トランスポートストリーム（以下、ＭＰＥＧ２−ＴＳ）に準拠した動画像データをＩＥＥＥ１３９４−１９９５規格に準拠したアイソクロナスパケットにパケット化する際の模式図である。
ディスク４０１に記録されている動画像データのデータ列５０１は、記録再生部４１１によって読み出され、１８８バイトのＭＰＥＧ２−ＴＳパケット５０２ごとにデジタルインターフェース部４１３に入力される。このとき、各ＭＰＥＧ２−ＴＳパケット５０２には、ヘッダとしてタイムスタンプデータが付加され、ソースパケット５０３となる。次にこの、ソースパケット５０３は、８つのデータブロック５０４に分割される。そして、ＭＰＥＧ２−ＴＳデータのビットレートに応じて、幾つか（ここでは一例として４つ）のデータブロック５０５が１つのアイソクロナスデータ５０６とされる。各アイソクロナスデータ５０６には、共通アイソクロナスパケット（ＣＩＰ）ヘッダ５０７や、アイソクロナスパケットヘッダ５０８、ＣＲＣデータ５０９が付加され、アイソクロナスパケット５１０となる。本例では、各アイソクロナスサイクルで４つのデータブロック５０５から成るパケットを伝送しており、ＭＰＥＧ２−ＴＳのビットレートは、約６.０１６Ｍｂｐｓである。
【０００８】
なお、アイソクロナス通信に関しては非特許文献１に、暗号化技術に関しては非特許文献２及び３に、ＭＰＥＧ２−ＴＳデータをＩＥＥＥ１３９４規格に準拠したアイソクロナスパケットとして伝送する方法に関しては非特許文献４にそれぞれ記述されている。
【０００９】
【非特許文献１】IEEE Std 1394-1995・IEEE Standard for a High Performance Serial Bus
【非特許文献２】5C Digital Transmission Content Protection White Paper Revision 1.0
【非特許文献３】Digital Transmission Content Protection Specification Volume 1（Informational Version） Revision 1.0
【非特許文献４】IEC 61883-4：Consumer audio/video equipment-Digital interface-Part 4：MPEG2-TS data transmission
【発明の開示】
【発明が解決しようとする課題】
【００１０】
しかしながら、データ処理システム４００では、前述したアイソクロナス転送を用いて送信側のデータ処理装置４１０から受信側のデータ処理装置４２０に動画像データを送信して、当該動画像データのダビングを行う場合、ダビングに要する時間が当該動画像データの再生時間と同じだけかかっていた。例えば、１時間の動画像データの映像であれば、ダビングにかかる時間も１時間必要であった。また、送信側のデータ処理装置４１０から送信された動画像データの転送レートに対して、受信側のデータ処理装置４２０での処理能力が劣っている場合には、当該動画像データのダビングを行うことが不可能となっていた。
【００１１】
即ち、データ処理システム４００では、送信側のデータ処理装置４１０から受信側のデータ処理装置４２０にデータを転送する際に、受信側のデータ処理装置４２０を考慮したデータ転送を行っていなかったために、双方にとって最適なデータ転送を実現することは困難であった。
【００１２】
本発明は上述の問題点にかんがみてなされたものであり、送信側のデータ処理装置から受信側のデータ処理装置にデータを転送する際に、受信側のデータ処理装置を考慮したデータ転送を行えるようにして、双方にとって最適なデータ転送を実現できるようにすることを目的とする。
【課題を解決するための手段】
【００１３】
本発明のデータ処理装置は、記録媒体に記録されている少なくとも動画像データ又は音声データの記録データを読み出す読み出し手段と、前記読み出し手段で読み出した記録データのパケット列に対する処理能力を受信装置に問い合わせる問い合わせ手段と、前記問い合わせ手段による問い合わせの結果得られた前記受信装置の処理能力値に応じて、前記記録データのパケット列の転送レートを変更する転送レート変更手段と、前記転送レート変更手段により変更された転送レートで前記記録データのパケット列を前記受信装置に送信する送信手段とを有する。
【００１４】
また、本発明の他のデータ処理装置は、送信装置の記録媒体に記録されている少なくとも動画像データ又は音声データの記録データのパケット列に対する処理能力値を前記送信装置に送信する送信手段と、前記処理能力値に応じて転送レートが変更された前記記録データのパケット列を前記送信装置から受信する受信手段とを有する。
【００１５】
本発明のデータ処理方法は、記録媒体に記録されている少なくとも動画像データ又は音声データの記録データを読み出す読み出しステップと、前記読み出しステップで読み出した記録データのパケット列に対する処理能力を受信装置に問い合わせる問い合わせステップと、前記問い合わせステップによる問い合わせの結果得られた前記受信装置の処理能力値に応じて、前記記録データのパケット列の転送レートを変更する転送レート変更ステップと、前記転送レート変更ステップにより変更された転送レートで前記記録データのパケット列を前記受信装置に送信する送信ステップとを有する。
【００１６】
本発明の他のデータ処理方法は、送信装置の記録媒体に記録されている少なくとも動画像データ又は音声データの記録データのパケット列に対する処理能力値を前記送信装置に送信する送信ステップと、前記処理能力値に応じて転送レートが変更された前記記録データのパケット列を前記送信装置から受信する受信ステップとを有する。
【００１７】
本発明のプログラムは、記録媒体に記録されている少なくとも動画像データ又は音声データの記録データを読み出す読み出し手順と、前記読み出し手順で読み出した記録データのパケット列に対する処理能力を受信装置に問い合わせる問い合わせ手順と、前記問い合わせ手順による問い合わせの結果得られた前記受信装置の処理能力値に応じて、前記記録データのパケット列の転送レートを変更する転送レート変更手順と、前記転送レート変更手順により変更された転送レートで前記記録データのパケット列を前記受信装置に送信する送信手順とをコンピュータに実行させる。
【００１８】
本発明の他のプログラムは、送信装置の記録媒体に記録されている少なくとも動画像データ又は音声データの記録データのパケット列に対する処理能力値を前記送信装置に送信する送信手順と、前記処理能力値に応じて転送レートが変更された前記記録データのパケット列を前記送信装置から受信する受信手順とをコンピュータに実行させる。
【００１９】
本発明のコンピュータ読み取り可能な記憶媒体は、前記プログラムをコンピュータに読み取り可能に記憶する。
【発明の効果】
【００２０】
本発明によれば、送信側のデータ処理装置において、記録媒体に記録されている記録データのパケット列における転送レートを、受信側のデータ処理装置の処理能力に応じて変更するようにしたので、双方にとって最適なデータ転送を実現することができる。
【発明を実施するための最良の形態】
【００２１】
図１は、本発明の実施形態におけるデータ処理システムを示す概略構成図である。
本実施形態では、記録媒体がディスクである場合の例を示し、また、以下には、従来例で説明した通常速度のダビングに対してＮ倍の速度でダビングを行う場合、即ちダビングに要する時間をＮ分の１とする場合についてに説明する。
【００２２】
本実施形態におけるデータ処理システム１００は、送信側のデータ処理装置１１０と、受信側のデータ処理装置１２０と、当該装置間を接続する通信ケーブル１３０を有している。また、送信側のデータ処理装置１１０には、送信側のディスク１０１及び表示装置１０２が接続されており、受信側のデータ処理装置１２０には、受信側のディスク１０３及び表示装置１０４が接続されている。
【００２３】
送信側のデータ処理装置１１０は、記録再生部１１１と、メモリ１１２と、表示制御部１１３と、ＣＰＵ１１４と、コピープロテクション（Ｃ／Ｐ）部１１５と、デジタルインターフェース部１１６を備えて構成されている。受信側のデータ処理装置１２０は、デジタルインターフェース部１２１と、コピープロテクション（Ｃ／Ｐ）部１２２と、メモリ１２３と、表示制御部１２４と、ＣＰＵ１２５と、記録再生部１２６を備えて構成されている。デジタルインターフェース部１１６及び１２１は、ＩＥＥＥ  Ｓｔｄ  １３９４−１９９５等に準拠する。
【００２４】
まず、記録再生部１１１は、送信側のディスク１０１の動画像データを読み出し、当該読み出した動画像データをメモリ１１２に記憶する。メモリ１１２に記憶された動画像データは、表示制御部１１３に送られてデコード処理が施された後、表示装置１０２にダビング時のモニタ画像として表示される。一方、ＣＰＵ１１４による制御により、記録再生部１１１で読み出された動画像データは、コピープロテクション部１１５に入力される。このコピープロテクション部１１５では、入力された動画像データのコピー制限に対応したモードにより暗号化処理が行われる。また、ＣＰＵ１１４は、コピープロテクション部１１５で動画像データの暗号化処理を行った後に、受信側のデータ処理装置１２０に対して、以下の問い合わせを行う。
【００２５】
図２は、送信側のデータ処理装置１１０における制御を示したフローチャートである。
まず、ステップＳ２０１では、ＣＰＵ１１４において、送信する動画像データの内容の確認を行う。ここで、送信する動画像データにはディスク１０１に記録される時にコピー制限や解像度（ＳＤ（Standard Definition）、ＨＤ（High Definition）等）によって異なった記録方法が行われている。
【００２６】
なお、送信する動画像データがコピー制限の無いものである場合には、コピープロテクション部１１５による暗号化処理を行わずに、デジタルインターフェース部１１６に入力される。一方、送信する動画像データがコピー制限のあるものである場合には、コピープロテクション部１１５で暗号化処理が行われた後に、デジタルインターフェース部１１６に入力される。
【００２７】
続いて、ステップＳ２０２では、ＣＰＵ１１４において、受信側のデータ処理装置１２０に対して、コピープロテクション部１２２の処理能力を問い合わせる。このステップＳ２０２での問い合わせには、アシンクロナス転送が用いられ、受信側のデータ処理装置１２０のコピープロテクション部１２２の処理能力を表す転送レートが通知される。
【００２８】
続いて、ステップＳ２０３では、ＣＰＵ１１４において、受信側のデータ処理装置１２０から転送されてきたコピープロテクション部１２２の復号化に要する処理能力値に応じて、当該転送レートの変更を行う。
【００２９】
ここで、受信側のコピープロテクション部１２２の復号化に要する処理能力値が基準レートであるＳＤのレートよりも高い場合に通常再生時の転送レートで送信を行うと、受信側のコピープロテクション部１２２の最大処理能力を生かすことができない。本実施形態では、この場合には、ステップＳ２０３において、受信側のコピープロテクション部１２２の処理能力値に応じて転送レートを許容できる最大限まで高く変更する。これにより、受信側のコピープロテクション部１２２での処理時間を短縮することができる。
【００３０】
例えば、ステップＳ２０３の処理において、送信する動画像データの転送レートが基準レートのＳＤで設定されており、受信側のコピープロテクション部１２２の転送レートがＨＤ対応であって基準レートＳＤのＮ倍の速度まで処理することが可能である場合には、ＣＰＵ１１４において、デジタルインターフェース部１１６に入力する動画像データを設定していた基準レートＳＤのＮ倍の転送レートに変更する。
【００３１】
一方、受信側のコピープロテクション部１２２の復号化に要する処理能力値が基準レートであるＳＤのレートよりも低い場合に通常再生時の転送レートで送信を行うと、受信側ではダビングすることは不可能である。本実施形態では、この場合には、ステップＳ２０３において、受信側のコピープロテクション部１２２の処理能力値に応じて転送レートを受信処理できる程度まで低くする。これにより、受信側のコピープロテクション部１２２での処理を確実に行うことができる。
【００３２】
続いて、ステップＳ２０４では、ステップＳ２０３で転送レートを変更した動画像データを通信ケーブル１３０を介して受信側のデータ処理装置１２０に送信する。この際、本実施形態の場合には、通常再生時のＮ倍の速度で受信側のデータ処理装置１２０に送信される。
【００３３】
受信側のデータ処理装置１２０では、デジタルインターフェース部１２１に送信されてきた動画像データをコピープロテクション部１２２において復号化処理を行う。このコピープロテクション部１２２では、送信側のコピープロテクション部１１５で暗号化処理を行った際に用いた暗号を解く鍵を計算することにより、適切なモードを選択して復号化処理を行う。送信側のデータ処理装置１１０で転送レートが変更された場合でも、常に受信側のデータ処理装置１２０の最大処理能力以下の転送レートの動画像データが送信されてくるため、スムーズな復号化処理が施されることになる。
【００３４】
図３は、受信側のコピープロテクション部１２２の処理能力に応じて決定される送信側の転送レートの一例を示した図である。
ＳＤは基準値として扱い、また、ＨＤは常に基準値であるＳＤよりも高い転送レートを必要とする。上述したように、通常、転送レートがＨＤの動画像データをＳＤの処理能力しか持っていない受信側ではダビングすることは不可能であるが、本実施形態では、転送レートをＳＤで解釈できる程度に低い転送レートに変更して、ダビング処理を行うことを可能としている。また、変更された転送レートによっては、コピープロテクション部１２２よりも後段の構成要素において、処理を通常再生時よりも速く行うことが可能となる。
【００３５】
そして、受信側のデータ処理装置１２０では、図１に示すように、コピープロテクション部１２２により復号化された動画像データは、メモリ１２３に記憶され、表示制御部１２４においてデコード処理された後、表示装置１０３に表示される。さらに、コピープロテクション部１２２により復号化された動画像データは、記録再生部１２６に入力されて、ディスク１０４に書き込まれる。
【００３６】
なお、本実施形態においては、ディスク１０１に記録されている記録データとして動画像データの例を示したが、本発明はこれに限定されるわけでなく、例えば音声データが記録データとして記録されていてもよい。
【００３７】
また、本実施形態においては、受信側のデータ処理装置１２０における処理能力の問い合わせの対象として、コピープロテクション部１２２における処理能力値を問い合わせる例を示したが、本発明はこれに限定されるわけでなく、例えばディスク１０４への記録データの書き込み速度や、メモリ１２３への記録データの書き込み速度、或いは、メモリ１２３からの記録データの読み込み速度等の処理能力を問い合わせるようにしてもよい。
【００３８】
また、本実施形態においては、ディスク１０１に記録されている記録データのパケットとして、例えばＭＰＥＧ２トランスポートストリームパケットを適用することができる。また、記録データに対して予め設定されているパケット列の転送レートは、ディスク１０１に記録されている当該記録データのフォーマットの種類に応じて設定されている。また、記録媒体としては、ディスクに限定されるわけでなく、例えば半導体メモリ等の他の記録媒体であってもよい。
【００３９】
また、本実施形態においては、受信側のデータ処理装置１２０における処理能力の問い合わせの方法として、送信側のデータ処理装置１１０から当該処理能力の問い合わせを行う例を示したが、本発明はこれに限定されるわけでなく、例えば受信側のデータ処理装置１２０から送信側のデータ処理装置１１０に対して、自機器の処理能力を送信するようにしてもよい。さらに、受信側のデータ処理装置１２０において、ＣＰＵ１２５の制御により、送信側のデータ処理装置１１０に対して、受信対象の記録データのパケット列に対する転送レートを問い合わせ、当該問い合わせの結果得られた当該記録データの転送レートが自機器の処理能力値と一致しない場合に、当該記録データの転送レートを変更するように送信側のデータ処理装置１１０に対して指示するように構成してもよい。この場合、送信側のデータ処理装置１１０は、受信側のデータ処理装置１２０からの転送レートの変更の指示に基づいて、送信対象の記録データのパケット列の転送レートを変更することになる。
【００４０】
本発明の実施形態は、コンピュータがプログラムを実行することによって実現することができる。また、プログラムをコンピュータに供給するための手段としては、例えば、かかるプログラムを記録したＣＤ−ＲＯＭ等のコンピュータ読み取り可能な記録媒体や、かかるプログラムを伝送するインターネット等の伝送媒体が挙げられる。以上、本発明の実施形態について、図面を参照して詳述してきたが、具体的な構成は上記の実施形態に限られるものではなく、本発明の要旨を逸脱しない範囲で適宜変更可能である。
【００４１】
本実施形態によれば、送信側のデータ処理装置１１０において、ディスク１０１に記録されている記録データのパケット列における転送レートを、受信側のデータ処理装置１２０の処理能力に応じて変更するようにしたので、双方のデータ処理装置にとって最適なデータ転送を実現することができる。
【００４２】
例えば、受信側のデータ処理装置１２０における処理能力が記録データの予め設定されているパケット列の転送レートよりも高い場合には、当該転送レートを受信側のデータ処理装置１２０の処理能力に応じて高くするようにする。これにより、記録データの転送を高速に行うことができ、記録データのダビング時間を短縮することが可能となる。一方、受信側のデータ処理装置１２０における処理能力が記録データの予め設定されているパケット列の転送レートよりも低い場合には、当該転送レートを受信側のデータ処理装置１２０の処理能力に応じて低くするようにする。これにより、受信側のデータ処理装置１２０側で記録データのダビングができないという不具合を解消することが可能となる。
【図面の簡単な説明】
【００４３】
【図１】本発明の実施形態におけるデータ処理システムを示す概略構成図である。
【図２】送信側のデータ処理装置における制御を示したフローチャートである。
【図３】受信側のコピープロテクション部の処理能力に応じて決定される送信側の転送レートの一例を示した図である。
【図４】データ処理システムの一例を示す概略構成図である。
【図５】記録されている動画像データをアイソクロナスパケットにパケット化する際の模式図である。
【符号の説明】
【００４４】
１００  データ処理システム
１０１、１０４  ディスク
１０２、１０３  表示装置
１１０  送信側のデータ処理装置
１１１  記録再生部
１１２  メモリ
１１３  表示制御部
１１４  ＣＰＵ
１１５  コピープロテクション（Ｃ／Ｐ）部
１１６  デジタルインターフェース部
１２０  受信側のデータ処理装置
１２１  デジタルインターフェース部
１２２  コピープロテクション（Ｃ／Ｐ）部
１２３  メモリ
１２４  表示制御部
１２５  ＣＰＵ
１２６  記録再生部
１３０  通信ケーブル
【図１】
2006128820.tif 000003
【図２】
2006128820.tif 000004
【図３】
2006128820.tif 000005
【図４】
2006128820.tif 000006
【図５】
2006128820.tif 000007